(57)【要約】  携帯用の薬剤送出機器の格納ケースである。ケースは、例えば、ケースの蓋内に備えられた内部スペース内に乾燥剤を保持し、ケースの内容物に有害なケース内の湿気の増加を制限するのを助ける。
2005515869.tif 000002
【特許請求の範囲】
【請求項１】
外側表面と内側表面とを有する第１の部分を備え、
外側表面と内側表面とを有する第２の部分を備え、
前記第１及び第２の部分が、ケースを開いた配置と閉じた配置との間で互いに対して可動であり、ケースを閉じた配置のとき、前記第１部分の前記内側表面と前記第２部分の前記内側表面とが、それらの間に内部容積を構成するように対向した関係にあり、
少なくとも一つの前記内側表面に、携帯用の薬剤送出機器を前記内部容積内に格納するための手段を備え、
前記第１部分によって保持され、且つ、携帯用の薬剤送出機器の湿気の増加を制限するために前記内部容積と通気連絡している乾燥剤を備えている、携帯用の薬剤送出機器を格納するためのケース。
【請求項２】
前記乾燥剤が、前記第１部分の前記内側表面と前記第１部分の前記外側表面との間の格納スペース内に保持されている、請求項１に記載のケース。
【請求項３】
前記内側表面が、前記格納スペースと前記内部容積との間の通気連絡を促進する、少なくとも一つの貫通した開口部を構成している、請求項２に記載のケース。
【請求項４】
少なくとも一つの前記開口部が、複数の開口を備えている、請求項３に記載のケース。
【請求項５】
前記第１及び第２部分が、ケースを開いた配置と閉じた配置との間で旋回動可能なように、２枚貝の構造でヒンジ接続されている、請求項１記載のケース。
【請求項６】
前記格納手段が、携帯用の薬剤送出機器を少なくとも部分的に挿入可能に取り付ける、前記第２部分の前記内側表面の凹部、を備えている、請求項１記載のケース。
【請求項７】
前記第１部分が、シェルと、それに取り付けられた挿入物とを備え、前記シェルが、前記第１部分の前記外側表面を形成し、前記挿入物が、前記第１部分の前記内側表面を形成し、前記格納スペースが、前記シェルと前記挿入物との間に形成されている、請求項２記載のケース。
【請求項８】
前記挿入物が、前記格納スペースと前記内部容積との間の通気連絡を促進する、少なくとも１つの貫通した開口部を構成している、請求項７記載のケース。
【発明の詳細な説明】
【発明の詳細な説明】
【０００１】
（発明の背景）
本発明は、携帯用の薬剤送出機器に関し、特に、不使用時にそのような機器を格納するのに適したケースに関する。
【０００２】
様々な疾患に苦しむ患者は、適量の薬剤の自己投薬により、しばしば自らの治療を行うことができる。様々な異なった構成の携帯用の薬剤送出機器の分類が知られている。携帯用の薬剤送出機器の一般的な種類の一つが、広くペン型注射器として知られた携帯用注射器を含み、これは、概してペンの端部に取り付けられた交換可能な針により、ユーザーにとって投薬が便利になるように開発されている。そのようなペン型注射器は、様々な形やサイズ、異なる機能要素で利用可能である。これらペンのいくつかの機能要素は、例えば、そのペン型注射器内に供給された薬剤の多服用量のカートリッジから、服用量の選択、又は、選択された服用量の投与を支援する、電子技術を利用する。
【０００３】
再利用可能なペン型注射器は、不使用時にペンを保護するように格納できる格納ケースにしばしば供給される。概して、ペン型注射器は、二枚貝タイプのケースの内側表面に備えられた、相補的に形造られた窪み内におくことができる。ケースの外部を形成する、より堅いシェル部分に接続された、一又はそれ以上の挿入物の形式にすることができるケースの内側表面は、例えば、ペンのための交換針のような、ペンの付属物を収容するのに適した個別の窪みを備えることができる。
【０００４】
いくらかの状況において、ペンの使用によって送出される薬剤は、ペンの使用と使用の間で冷却しなければならない。このように、そのケースに格納されたペン型注射器は、不使用時に冷蔵装置内にとどまり、そして、使用のため、少しの間（例えば、３０分）冷蔵装置から引き出され、使用後は、次の使用までの間保管のために冷蔵装置に戻される。ペン型注射器を冷蔵装置の内外へ移動させることは、環境の変化のために、ペンに結露を生じさせる。この結露は、ユーザーに不便を感じさせ、結果メーカーに対する苦情を生じさせる不利な影響を、ペンの電子技術の動作に与えることがある。
【０００５】
従って、従来技術の欠点の少なくとも一つに焦点を当てた携帯用の薬剤送出機器のための格納ケースを提供することが望ましい。
【０００６】
（発明の要約）
１つの形態において、本発明は、携帯用の薬剤送出機器を格納するためのケースを提供する。ケースは、外側表面と内側表面を有する第１部分を備え、外側表面と内側表面とを有する第２部分を備え、第１及び第２部分が、ケースを開いた配置と閉じた配置との間で互い対して可動であり、ケースを閉じた配置のとき、第１部分の内側表面と第２部分の内側表面とが、それらの間に内部容積を構成するように対向した関係にあり、少なくとも一つの内側表面に、携帯用の薬剤送出機器を内部容積内に格納するための手段を備え、第１部分によって保持されるとともに、携帯用の薬剤送出機器の湿気の増加を制限するために前記内部容積と通気連絡している、乾燥剤を備えている。
【０００７】
本発明の１つの利点は、不使用時に、機器の信頼性に不利な影響を与え得る結露の発生の可能性を減少させる、携帯用の薬剤送出機器の格納ケースが提供されることである。
【０００８】
本発明の別の利点は、例えば、ケース内に収容された送出機器に直接アイテムがばらまかれることを阻止することによって、その内容物を損傷から保護する携帯用の薬剤送出機器の格納ケースが提供されることである。
【０００９】
添付図とともに本発明の実施形態の次の説明を参照することによって、上述の利点及びその他の利点と、本発明の目的と、それらを達成する方法とがより明白になり、本発明がより良く理解されるであろう。
【００１０】
いくつかの図面を通して一致する参照符号は、一致する部品を示している。図面は本発明の実施形態を表しているが、必ずしも一定の縮尺ではなく、本発明をより良く例示し説明するために、いくつかの図面において、ある特徴が誇張され又は省略されることがある。
【００１１】
（発明の詳細な説明）
図１を参照すると、本発明に係る携帯用の薬剤送出装置の格納ケースの模範的な実施形態が示されている。概して２０で示されたケースは、図１に示す閉じた配置にあるとき、その中に予め受け入れた物品を保護して収容している。ケース２０は、一般的な眼鏡ケース型に似た２枚貝型のデザインを有していることが示されており、概して２１及び２２でそれぞれ示され、互いにヒンジ接続された蓋部分とベース部分とによって形成されている。しかしながら、当然に、別の方法で設計された開閉可能なケースを、本発明の範囲内で採用してもよい。
【００１２】
蓋部分２１は、感覚的に人を惹き付ける輪郭を持った外側シェル２４を備え、ベース部分２２は、外側シェル２６を備え、それぞれ、プラスチックのような耐久性のある堅い材料で作られている。図示しないヒンジは、図１で示す閉じた配置から、閉じたケースを開いている図２で示す配置まで、蓋部分２１がベース部分２２に相対して回転できるように、蓋シェル２４をベースシェル２６に接続する。ヒンジは、開いた状態から互いに閉じられるときにケース部分に抵抗し、且つ、ケースが完全に又は少なくとも実質上開かれない限り、各ケース部分が相互に結ばれるよう又は完全に一緒になるよう促す、負荷をかけたバネにすることができる。２９で抽象的に示されたラッチ機構は、蓋部分２１とベース部分２２との間で、不注意なケースの開放を妨げるように協力している。
【００１３】
ケース部分２１，２２の内側表面は、例えば、ケースの外側表面を形成するシェル２４，２６の材料よりも柔軟な軽量プラスチックから成型された挿入物３０，３２によってそれぞれ形成されている。ケース挿入物３０，３２は、例えば、スナップ嵌め、圧入、又は別の適当な方法によって、蓋シェル２４とベースシェル２６の内側にしっかりと接続されている。好ましい実施形態では、蓋部分２１及びベース部分２２は、多部品の集合体である。この多部品の構造は、外側シェル内に取り付けた個別の挿入物の使用が成形を容易にし、同様に、その使用が、ケースの外側および内側表面に、異なる物質の特性を容易に提供することを可能にする、という事実をもたらす。
【００１４】
挿入物３２の中央表面領域は、機器を収容する窪み又は凹部３５を定めるために、凹んでいる。３６，３７で示された他の凹みは、例えば、図示しない交換針及び交換カートリッジのようなペンの付属物を受け入れるように、寸法が決定され、形造られている。
【００１５】
窪み３５は、万一ケースが逆にされた場合でも、抽象的に４０で示された携帯用の薬剤送出機器４０が決まった場所に保持、格納されるのに十分なほど安全に保持されるように、当該機器４０を独自に収容するためのサイズと形状に形成されている。例えば、これは、「摩擦嵌合」にすることができる。このような係合構造は、窪み３５の深さが機器全体を収容することを必要とするのではなく、むしろ、機器が少なくとも部分的に挿入可能に窪み中に適合することを必要とする。
【００１６】
他の実施形態において、機器４０は、挿入物との直接的な摩擦係合よりむしろ、公知技術の留め具（例えば、ストラップ、クリップ、又は、適所に機器を保持するためのヒンジレバーであって、レバー間に機器が挿入されたときに自動的に折れるもの）を追加で使用した挿入物３２によって、受け入れられ且つ格納することができる。更に、機器４０は、摩擦によって保持されないで、浅い窪み内に格納することができるが、その窪みは、機器４０が少なくとも部分的に窪み内にある間に機器と共同し、反転されることなくケースが閉じられたときに挿入物３０の下側に隣接し、閉じられたケース内の機器の自由な動きを妨げる。
【００１７】
機器４０は、運搬ケース２０内に収納されていないとき、公知の方法で薬剤をユーザーに送出するように使用する。図示された携帯用の薬剤送出機器は、針でさすペン型注射器の形であり、その技術分野において通常の技術として知られているいかなるタイプにすることができる。一般に、そして、従来と同様に、ペンは、一服の薬を選択しその後注射するための機構を有する。特に、投薬する機構、例えば、回転可能なノブは、ユーザーが、ペン内に含まれた薬剤の包装容器からペンによって注射される薬剤の量を調整することを可能にする。一服の薬剤を注射するため、ユーザーは針を皮膚に挿入し、カートリッジからペン針を経て選択された量の薬剤を実際に注射機構に押し込ませるため、ノブが押し下がる範囲でノブを押す。ケース２０は、例えば、ユーザーに注射される薬剤の服用量を正確に示すために使われる回路、注射についてのデータを記録する回路、又は実際に注射器を動かす回路のような、電子回路を使った携帯用の薬剤送出機器に良く適している。しかしながら、格納ケース２０が、機器内の湿気で潜在的に不利な影響を受ける電子部品を備えた機器のための、特に有益な応用を獲得する間は、この格納ケースは、特にケース内に格納された他の器具が湿気との接触により害される恐れがあるときは、まったくの機械的なペンに利用することができる。更に、ここに述べる機器は実例であり、機器の設計を制限することを意図するものではなく、運搬ケース内に格納される能力、そして、好ましくは同じケースに格納された一服の薬剤の送出に使用できる能力以外は、本発明に必須ではなく、呼吸器を含む他のタイプの携帯用の薬剤送出機器を、本発明の範囲内で図示された機器４０の代用にすることができる。
【００１８】
格納ケース２０は、ケースの意図した内容物がその中に収容されたときに湿気による損傷を受ける可能性を減少させるため、湿気を吸収する材料を備えている。その材料は、例えば、実施形態に示すようにケースの蓋部分２１によって保持された乾燥剤パック５０のような、乾燥剤を包含した形式である。図示では蓋部分にだけ設置された例を示しているが、代わりの実施形態において、乾燥剤は、ベース部分２２又は蓋及びベース部分の双方に備えることができる。
【００１９】
乾燥剤は、紙又はプラスチックで作られた容器内に入れられ、更に図３に示すように、乾燥剤パック５０は、挿入物３０の対向する表面と蓋シェル２４との間の内部スペース５２内に保持されている。乾燥剤は、ケース２０を閉じたときに挿入物３０，３２の対向する内部表面の間に形成され且つ機器４０が格納されたケースの内部容積と通気連絡しており、当該内部容積の湿気を取り除くことができる。その通気連絡は、蓋シェル２４に対する挿入物３０の非気密性部品の機能とすることができるが、そのような通気は、挿入物を貫く１又はそれ以上の孔又は溝によって促進される。図２及び図３に示すように、一連の開口部５４の行と列は、ペン４０が格納されたケースの内部容積から乾燥剤によって湿気を取り除く通気孔として役立つ。適当な乾燥剤は、ニューヨーク・バッファーローのマルチソーブテクノロジー社のものを利用可能である。
【００２０】
この発明は、好ましい設計として図示され、説明されたが、本発明は、その精神と開示の範囲内で変更可能である。従って、この出願は、一般的原理を使う本発明のあらゆる変化、使用、適応をカバーすることを意図している。更に、この出願は、そのような現在の開示から始まって、本発明が関係する技術分野で知られている又は慣行の範囲内で生ずるものをカバーすることを意図している。
【図面の簡単な説明】
【００２１】
【図１】ケースが閉じられた配置にある、本発明の携帯用の薬剤デリバリ機器の格納ケースの正面斜視図である。
【図２】開かれた配置に操作した後の、図１の格納ケースの正面斜視図であり、特にケースが使用のために適用された携帯用の薬剤デリバリ機器が、ケースから取り外された後、点線で抽象的に示されている。
【図３】図２の３−３線に沿って切断された、図１及び図２の格納ケースの蓋部分を説明する断面図である。
【図１】
2005515869.tif 000003
【図２】
2005515869.tif 000004
【図３】
2005515869.tif 000005
【手続補正書】
【提出日】平成16年2月10日(2004.2.10)
【手続補正１】
【補正対象書類名】特許請求の範囲
【補正対象項目名】全文
【補正方法】変更
【補正の内容】
【特許請求の範囲】
【請求項１】
外側表面と内側表面とを有する第１の部分を備え、
外側表面と内側表面とを有する第２の部分を備え、
前記第１及び第２の部分が、ケースを開いた配置と閉じた配置との間で相互に可動の関係にあり、ケースを閉じた配置のとき、前記第１部分の前記内側表面と前記第２部分の前記内側表面とが、それらの間に内部容積を構成するように対向した関係にあり、
少なくとも一つの前記内側表面に、携帯用の薬剤送出機器を前記内部容積内に格納するための手段を備えている、携帯用の薬剤送出機器を格納するためのケースにおいて、
乾燥剤が、前記第１部分によって保持され、且つ、携帯用の薬剤送出機器の湿気の増加を制限するために前記内部容積と通気連絡しており、前記乾燥剤が、前記第１部分の前記内側表面と前記第１部分の前記外側表面との間の格納スペース内に保持されていることを特徴とする、携帯用の薬剤送出機器を格納するためのケース。
【請求項２】
前記内側表面が、前記格納スペースと前記内部容積との間の通気連絡を促進する、少なくとも一つの貫通した開口部を構成している、請求項１に記載のケース。
【請求項３】
前記少なくとも一つの開口部が、複数の開口を含む、請求項２に記載のケース。
【請求項４】
前記第１及び第２部分が、ケースを開いた配置と閉じた配置との間で旋回動可能なように、２枚貝の構造でヒンジ接続されている、請求項１記載のケース。
【請求項５】
前記格納手段が、携帯用の薬剤送出機器を少なくとも部分的に挿入可能に取り付ける、前記第２部分の前記内側表面の凹部、を備えている、請求項１記載のケース。
【請求項６】
前記第１部分が、シェルと、それに取り付けられた挿入物とを備え、前記シェルが、前記第１部分の前記外側表面を形成し、前記挿入物が、前記第１部分の前記内側表面を形成し、前記格納スペースが、前記シェルと前記挿入物との間に形成されている、請求項１記載のケース。
【請求項７】
前記挿入物が、前記格納スペースと前記内部容積との間の通気連絡を促進する、少なくとも１つの貫通した開口部を構成している、請求項６記載のケース。
【国際調査報告】
2005515869.tif 000006
2005515869.tif 000007